【手続補正書】
【提出日】平成26年8月8日(2014.8.8)
【手続補正１】
【補正対象書類名】特許請求の範囲
【補正対象項目名】全文
【補正方法】変更
【補正の内容】
【特許請求の範囲】
【請求項１】
回路基板を収納する基板ケースを備える遊技機であって、
前記遊技機に取り付けられる固定ベース部と、
前記基板ケースが取り付けられ、前記固定ベース部に対して、前記回路基板の一面側を視認可能となる第１の位置と前記回路基板の他面側を視認可能となる第２の位置との間で回動可能に支持される可動ベース部と、
を備え、
前記可動ベース部は、前記固定ベース部に対して回動可能、かつ着脱可能に支持され、
前記基板ケースを前記可動ベース部に、該可動ベース部から該基板ケースを取り外した際に該取り外した痕跡が残るように取り付け可能なケース取付手段を備え、
前記基板ケースは、少なくとも前記固定ベース部と前記可動ベース部と前記基板ケースとを一体に組み付けた組付状態において、前記固定ベース部から前記可動ベース部が取り外されることを規制する規制部を備える
ことを特徴とする遊技機。
【手続補正２】
【補正対象書類名】明細書
【補正対象項目名】０００１
【補正方法】変更
【補正の内容】
【０００１】
本発明は、回路基板を収納する基板ケースを備える遊技機に関する。
【手続補正３】
【補正対象書類名】明細書
【補正対象項目名】０００５
【補正方法】変更
【補正の内容】
【０００５】
そこで、この種の制御基板を、ベース体とカバー体とからなる基板ケースに収納するとともに、基板ケースを破壊しない限り開封することができない封止手段を基板ケースに設け、開封された場合にはその痕跡が残るようにすることで、制御基板に不正行為が行われた可能性があることを容易に発見することができるようにしたものがある（例えば、特許文献１参照）。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
【特許文献１】特開２００３−３１０９８２号公報
【手続補正６】
【補正対象書類名】明細書
【補正対象項目名】０００８
【補正方法】削除
【補正の内容】
【手続補正７】
【補正対象書類名】明細書
【補正対象項目名】０００９
【補正方法】変更
【補正の内容】
【０００９】
本発明は、基板ケースに対する不正行為を極力防止することができる遊技機を提供することを目的とする。
【手続補正８】
【補正対象書類名】明細書
【補正対象項目名】００１０
【補正方法】変更
【補正の内容】
【００１０】
上記課題を解決するために、本発明の請求項１に記載の遊技機は、
回路基板を収納する基板ケースを備える遊技機であって、
前記遊技機に取り付けられる固定ベース部と、
前記基板ケースが取り付けられ、前記固定ベース部に対して、前記回路基板の一面側を視認可能となる第１の位置と前記回路基板の他面側を視認可能となる第２の位置との間で回動可能に支持される可動ベース部と、
を備え、
前記可動ベース部は、前記固定ベース部に対して回動可能、かつ着脱可能に支持され、
前記基板ケースを前記可動ベース部に、該可動ベース部から該基板ケースを取り外した際に該取り外した痕跡が残るように取り付け可能なケース取付手段を備え、
前記基板ケースは、少なくとも前記固定ベース部と前記可動ベース部と前記基板ケースとを一体に組み付けた組付状態において、前記固定ベース部から前記可動ベース部が取り外されることを規制する規制部を備える
ことを特徴としている。
この特徴によれば、基板ケースに対する不正行為を極力防止することができる。
また、本発明の手段１の遊技機は、
回路基板（遊技制御基板４０／主基板１０３１）を収納するベース体（ベース部材２０１／１２０１）及びカバー体（カバー部材２０２／１２０２）とからなる基板ケース（２００／主基板ケース１２００）を備える遊技機（スロットマシン１／パチンコ遊技機１００１）であって、
前記ベース体に設けられるベース体側溶着部（ベース側溶着部２０７／１２０７）と、
前記カバー体に設けられるカバー体側溶着部（カバー側溶着部２２３／１２２３）と、
前記ベース体側溶着部または前記カバー体側溶着部の一方に、他方に向けて突設される溶着突部（外側溶着突条２７４，内側溶着突条２７５）と、
を備え、
所定の溶着装置（ホーンＨ及び治具Ｊ）にて前記溶着突部を溶解して前記ベース体側溶着部（溶着板部２６１のベース側溶着面２６１ａ）と前記カバー体側溶着部（溶着板部２７１のベース側溶着面２７１ａ）とを接合することで、痕跡を残さずに解除することができない封止状態を形成可能に構成し、
前記溶着突部を、前記ベース体側溶着部または前記カバー体側溶着部の所定領域（内部領域Ｙ）を囲むように該所定領域の周縁に沿って（枠状に）配設するとともに、該周縁の少なくとも一部に、前記溶着装置による溶着の際に前記所定領域内の空気を該所定領域外へ逃がすための逃がし通路部（逃がし通路２７６，２７７）を形成し、
前記ベース体における前記ベース体溶着部の周辺部の少なくとも一部に形成される凸部（凸条２６３）と、
前記カバー体における前記カバー体側溶着部の周辺部の少なくとも一部に形成され、前記封止状態において前記凸部が入り込む凹部（ガイド溝２７３）と、
を備え、
前記凹部は、前記封止状態において前記凸部が非当接状態で入り込む（遊嵌）大きさに形成されている
ことを特徴としている。
この特徴によれば、所定の溶接装置にて溶着突部を溶解してベース体側溶着部とカバー体側溶着部とを溶接することにより封止状態が形成された場合、封止状態を解除してカバー体を開封した際にはベース体やカバー体が破壊されてその痕跡が確実に残るため、不正行為が行われた可能性があることを発見することが可能となる。また、溶着突部を所定領域を囲むように配設することで、均一な溶融状態をもたらすことができ、また安定した溶着強度を得ることが可能になるとともに、溶融温度まで極めて短時間で発熱し、効率良く溶着を行わせることができるばかりか、所定領域内の空気が逃がし通路から所定領域外に逃げやすくなり、残留したままその周囲が溶着されてしまうことが防止されるので、溶着強度の低下を回避できる。
【手続補正９】
【補正対象書類名】明細書
【補正対象項目名】００１１
【補正方法】変更
【補正の内容】
【００１１】
本発明の手段２の遊技機は、手段１に記載の遊技機であって、
前記逃がし通路部（逃がし通路２７６，２７７）を複数有し、
該複数のうち少なくとも一対の逃がし通路部を、前記所定領域（内部領域Ｙ）の中心位置（Ｐ３）を通る直線上に対向配置した（図２４（ａ）参照）
ことを特徴としている。
この特徴によれば、溶着の際に所定領域内の空気を対向位置から効率よく分散して逃がすことができる。
【手続補正１０】
【補正対象書類名】明細書
【補正対象項目名】００１２
【補正方法】変更
【補正の内容】
【００１２】
本発明の手段３の遊技機は、手段２に記載の遊技機であって、
前記溶着突部（外側溶着突条２７４，内側溶着突条２７５）を、前記一対の逃がし通路部（逃がし通路２７６，２７７）を結ぶ直線に対して線対称に配置した（図２４（ａ）参照）
ことを特徴としている。
この特徴によれば、溶着の際に所定領域内の空気を対向位置から効率よく分散して逃がすことができるだけでなく、溶着部が逃がし通路部の両側に均等に形成されるため、溶着ムラが生じにくくなる。
【手続補正１１】
【補正対象書類名】明細書
【補正対象項目名】００１３
【補正方法】変更
【補正の内容】
【００１３】
本発明の手段４の遊技機は、手段１〜３のいずれかに記載の遊技機であって、
前記溶着突部（外側溶着突条２７４，内側溶着突条２７５）は、前記ベース体側溶着部（ベース側溶着部２０７／１２０７）または前記カバー体側溶着部（カバー側溶着部２２３／１２２３）のうち他方に向けて先細り形状（断面略三角形状）に形成されている
ことを特徴としている。
この特徴によれば、溶融温度まで極めて短時間で発熱するため、効率良く溶着を行わせることが可能となる。
【手続補正１２】
【補正対象書類名】明細書
【補正対象項目名】００１４
【補正方法】変更
【補正の内容】
【００１４】
本発明の手段５の遊技機は、手段１〜４のいずれかに記載の遊技機であって、
固有の識別情報（ＩＤ情報）が記憶される記憶部（ＩＣチップ４０５／１４０５）及び該記憶部に記憶された前記識別情報を含む電波を発信するアンテナ部（４０６／１４０６）を有する電子タグ（４０３／１４０３）と、
前記電子タグを有し、前記ベース体とカバー体とを封止状態（封印状態）とするために用いられる封印シール（４００／１４００）と、
前記ベース体に設けられ、前記封印シールの一端側が貼付されるベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と、
前記カバー体に設けられ、前記封印シールの他端側が貼付されるカバー体側シール貼付部（カバー側封印部２２４の前貼付面２２４ａ及び右上貼付面２２４ｂ／カバー側封印部１２２４の左上貼付面１２２４ｂ）と、
前記ベース体に前記カバー体を組み付けるための部材であって、前記ベース体または前記カバー体のうち一方に形成される挿通部（取付穴２２７／１６１０及び凹部２２７ａ／１６１０ａ）に挿通され他方に形成される被取付部（ネジ孔２０９／１６１１）に取り付けられる取付部（棒状部に形成された雄ネジ部）と、前記挿通部に連通し前記一方のシール貼付部（カバー側封印部２２４の前貼付面２２４ａ／ベース側封印部１２２９の後貼付面１２２９ａ）に臨むように形成される開口部（凹部２２７ａの開口２２７ｂ／凹部１６１０ａの開口１６１０ｂ）に収納される頭部（棒状部の一端に形成される頭部）と、からなる金属製の組付部材（閉鎖ネジ２２６／１２２６）と、
を備え、
前記組付部材の取付部を前記開口部から前記挿通部に挿通し前記被取付部に取り付けて前記ベース体に前記カバー体を組み付け、前記封印シールを前記ベース体側シール貼付部と前記カバー体側シール貼付部とに跨るように貼付した前記封止状態（封印状態）から該封止状態を解除した際に、前記電子タグに破損が生じ前記アンテナ部からの前記識別情報を含む電波の発信が不可能となり、
前記封印シールは、前記封止状態において前記アンテナ部が配置されていないアンテナ非配置部（封印シール４００／１４００のアンテナ非配置領域）にて、前記開口部（凹部２２７ａの開口２２７ｂ／凹部１６１０ａの開口１６１０ｂ）を被覆する
ことを特徴としている。
この特徴によれば、電子タグの記憶部に記憶されている識別情報を読取装置により読み取ることで、回路基板の交換等の不正行為が行われた可能性があることを容易に発見できるとともに、組付部材を開口部から取り外したり、封止状態を解除してカバー体を開封すると封印シールに破損が生じてその痕跡が確実に残るだけでなく、電子タグに破損が生じて識別情報を読取装置等により読み取ることができなくなるため、カバー体が開封された可能性があることを容易に発見することができるとともに、該電子タグの不正使用が防止される。また、金属製の組付部材の頭部が収納される開口部を被覆する位置にアンテナ部を配置しないことにより、金属製の組付部材の影響でアンテナ部に対して設定された周波数が変化するなどして読取装置への識別情報の発信が阻害されることを回避できる。
【手続補正１３】
【補正対象書類名】明細書
【補正対象項目名】００１５
【補正方法】変更
【補正の内容】
【００１５】
本発明の手段６の遊技機は、手段１〜５のいずれかに記載の遊技機であって、
固有の識別情報（ＩＤ情報）が記憶される記憶部（ＩＣチップ４０５／１４０５）及び該記憶部に記憶された前記識別情報を含む電波を発信するアンテナ部（４０６／１４０６）を有する電子タグ（４０３／１４０３）と、
前記電子タグを有し、前記ベース体とカバー体とを封止状態とするために用いられる封印シール（４００／１４００）と、
前記ベース体に設けられ、前記封印シールの一端側が貼付されるベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と、
前記カバー体に設けられ、前記封印シールの他端側が貼付されるカバー体側シール貼付部（カバー側封印部２２４の前貼付面２２４ａ及び右上貼付面２２４ｂ／カバー側封印部１２２４の左上貼付面１２２４ｂ）と、
を備え、
前記ベース体に前記カバー体を組み付け、前記封印シールを前記ベース体側シール貼付部と前記カバー体側シール貼付部とに跨るように貼付した前記封止状態（封印状態）から該封止状態を解除した際に、前記電子タグに破損が生じ前記アンテナ部からの前記識別情報を含む電波の発信が不可能となり、
前記封止状態において前記封印シールの表面を被覆するシール被覆部材（シール保護カバー２２８／１２２８）を備える
ことを特徴としている。
この特徴によれば、電子タグの記憶部に記憶されている識別情報を読取装置により読み取ることで、回路基板の交換等の不正行為が行われた可能性があることを容易に発見できるとともに、封止状態を解除してカバー体を開封すると、封印シールに破損が生じてその痕跡が確実に残るだけでなく、電子タグに破損が生じて識別情報を読取装置等により読み取ることができなくなるため、カバー体が開封された可能性があることを容易に発見することができるとともに、該電子タグの不正使用が防止される。また、封止状態において封印シールの表面がシール被覆部材により保護されることで、封印シールや電子タグに直接触れることができなくなるため、封印シールや電子タグに対する不正行為を極力防止できるとともに、基板ケースの遊技機への取り付け、取り外し作業時や使用時等において電子タグに何らかの外力が加わって破損が生じることを回避することができる。
【手続補正１４】
【補正対象書類名】明細書
【補正対象項目名】００１６
【補正方法】変更
【補正の内容】
【００１６】
本発明の手段７の遊技機は、手段１〜６のいずれかに記載の遊技機であって、
固有の識別情報（ＩＤ情報）が記憶される記憶部（ＩＣチップ４０５／１４０５）及び該記憶部に記憶された前記識別情報を含む電波を発信するアンテナ部（４０６／１４０６）を有する電子タグ（４０３／１４０３）と、
前記電子タグを有し、前記ベース体とカバー体とを封止状態（封印状態）とするために用いられる封印シール（４００／１４００）と、
前記ベース体に設けられ、前記封印シールの一端側が貼付されるベース体側シール貼付部（ベース側封印部２２９の後貼付面２２９ａ及び右下貼付面２２９ｂ／ベース側封印部１２２９の後貼付面１２２９ａ及び左下貼付面１２２９ｂ）と、
前記カバー体に設けられ、前記封印シールの他端側が貼付されるカバー体側シール貼付部（カバー側封印部２２４の前貼付面２２４ａ及び右上貼付面２２４ｂ／カバー側封印部１２２４の左上貼付面１２２４ｂ）と、
前記ベース体に前記カバー体を組み付け、前記封印シールを前記ベース体側シール貼付部と前記カバー体側シール貼付部とに跨るように貼付した前記封止状態（封印状態）において、該封印シールの表面を被覆するシール被覆部材（シール保護カバー２２８／１２２８）と、
前記ベース体側シール貼付部または前記カバー体側シール貼付部のうち少なくとも一方の周縁の少なくとも一部に突設され、前記封印シールの貼付位置を決定するための位置決め突部（位置決め凸条４１１，４２１、位置決め角部４１２，４２２／位置決め凸条１４１１，１４２１、位置決め角部１４１２，１４２２）と、
を備え、
前記封止状態から該封止状態を解除した際に、前記電子タグに破損が生じ前記アンテナ部からの前記識別情報を含む電波の発信が不可能となり、
前記位置決め突部は、前記シール被覆部材に当接可能、かつ、該当接によりシール被覆部材と前記封印シールの表面との間に隙間（ＳＰ）を形成可能に設けられている
ことを特徴としている。
この特徴によれば、電子タグの記憶部に記憶されている識別情報を読取装置により読み取ることで、回路基板の交換等の不正行為が行われた可能性があることを容易に発見できるとともに、封止状態を解除してカバー体を開封すると、封印シールに破損が生じてその痕跡が確実に残るだけでなく、電子タグに破損が生じて識別情報を読取装置等により読み取ることができなくなるため、カバー体が開封された可能性があることを容易に発見することができるとともに、該電子タグの不正使用が防止される。また、封止状態において封印シールの表面がシール被覆部材により保護されることで、封印シールや電子タグに直接触れることができなくなるため、封印シールや電子タグに対する不正行為を極力防止できるとともに、基板ケースの遊技機への取り付け、取り外し作業時や使用時等において電子タグに何らかの外力が加わって破損が生じることを回避することができる。さらに、位置決め部が突設されていることで、封印シールを突部に付き合せるだけで正確に位置決めできるばかりか、封印シールの周縁に設けられた位置決め突部によりシール被覆部材が当接支持されることで、封印シールとシール被覆部材との対向面を非接触状態に維持することができ、シール被覆部材に加わった外力が封印シールや電子タグに直接伝わることがないので、封印シールや電子タグに破損が生じることを防止できる。